(57)【特許請求の範囲】
【請求項１】
足を挿入して膝上に対応する上部から膝下に対応する下部にかけて装着する伸縮性素材でできた筒状部材と、
前記筒状部材の内周面に固定されたドーナツ状の膝当て部材と、
前記膝当て部材の穴の上方に位置する前記筒状部材の外周面の部分に固定された前記筒状部材を引き上げる引上げ部材と、
前記筒状部材の上方の端部から前記膝当て部材の穴の上方に位置する前記筒状部材の部分に上方スリット及び下方の端部から前記膝当て部材の穴の下方に位置する前記筒状部材の部分に下方スリットを備え、
前記上方スリット及び下方スリットは、それぞれ前記筒状部材の前記膝当て部材の穴の上方の端部及び下方の端部から上下方向に延びるものであることを特徴とする膝サポータ。
【請求項２】
前記引上げ部材は、一端部のみが前記膝当て部材の穴の直上に位置する前記筒状部材の外周面の部分に固定されている請求項１に記載の膝サポータ。
【請求項３】
前記引上げ部材は、指が入るループ状部を備える請求項１又は２に記載の膝サポータ。
【請求項４】
前記上方スリットは前記筒状部材の前記膝当て部材の穴の上方の端部から下方向に前記膝当て部材まで、前記下方スリットは前記筒状部材の前記膝当て部材の穴の下方の端部から上方向に前記膝当て部材まで、それぞれ延びている請求項１〜３のいずれか１項に記載の膝サポータ。
【発明の詳細な説明】
【技術分野】
【０００１】
本発明は、膝サポータに関し、特に、片手で装着可能な膝サポータに関する。
【背景技術】
【０００２】
膝を保護するための膝サポータには、従来から種々のものがある。例えば、筒状とされており、爪先を挿入して徐々にふくらはぎから引き上げて膝の外周に装着する筒状膝サポータ（例えば、特許文献１参照。）や、膝の外周に巻回したうえで固定するようにしたベルト状膝サポータ（例えば、特許文献２参照。）が知られている。
【先行技術文献】
【特許文献】
【０００３】
【特許文献１】特開２００３−５２７２７号公報
【特許文献２】特開２００４−１６２１８３号公報
【発明の概要】
【発明が解決しようとする課題】
【０００４】
上記従来の筒状膝サポータの場合、両手で膝サポータの上端部を持って引き上げなければ、うまく膝に装着することができなかった。
【０００５】
また、従来のベルト状膝サポータの場合は、特に一方の手でサポータの一端部を膝横に押し付け、他方の手でサポータの他端部を持って巻き付ける必要があった。
【０００６】
したがって、従来の膝サポータの場合、片手及び／或いは片足が不自由な或いは麻痺した人や、手の力（筋力）が弱い人は装着することが容易でなかった。
【０００７】
本発明は、上記の問題に鑑みてなされたものであり、手や足が不自由でも片手で容易に装着できる膝サポータを提供することを課題としている。
【課題を解決するための手段】
【０００８】
課題を解決するためになされた本発明の膝サポータは、足を挿入して膝上に対応する上部から膝下に対応する下部にかけて装着する伸縮性素材でできた筒状部材と、前記筒状部材の内周面に固定されたドーナツ状の膝当て部材と、前記膝当て部材の穴の上方に位置する前記筒状部材の外周面の部分に固定された前記筒状部材を引き上げる引上げ部材と、前記筒状部材の上方の端部から前記膝当て部材の穴の上方に位置する前記筒状部材の部分に上方スリット及び下方の端部から前記膝当て部材の穴の下方に位置する前記筒状部材の部分に下方スリットを備え、前記上方スリット及び下方スリットは、それぞれ前記筒状部材の前記膝当て部材の穴の上方の端部及び下方の端部から上下方向に延びるものであることを特徴とする。
【０００９】
引上げ部材及びスリットを備えているので、膝当て部材が前方に来るように膝サポータに足を挿入して、引上げ部材或いはスリットの端部を片手で持ち上げることで膝に装着することができる。
【００１０】
上記の膝サポータにおいて、前記引上げ部材は、一端部のみが前記膝当て部材の穴の直上に位置する前記筒状部材の外周面の部分に固定されているとよい。これにより、他端部を指で持ち上げることで膝当て部材が膝蓋骨を容易に越えることができる。
【００１１】
また、前記引上げ部材は、指が入るループ状部を備えるとよい。これにより、指をループ状部に入れて引き上げることができ、手の力が弱くても容易に引き上げることができる。
【００１２】
また、前記上方スリットは前記筒状部材の前記膝当て部材の穴の上方の端部から下方向に前記膝当て部材まで、前記下方スリットは前記筒状部材の前記膝当て部材の穴の下方の端部から上方向に前記膝当て部材まで、それぞれ延びているとよい。これにより、麻痺して足の爪先が下方に向かない足でも装着が容易になる。
【発明の効果】
【００１３】
引上げ部材及び上方スリット、下方スリットを備えているので、膝当て部材が前方に来るように膝サポータに足を挿入して、引上げ部材の端部を片手で持ち上げることで膝に装着することができる。
【図面の簡単な説明】
【００１４】
【図１】実施形態１に係る膝サポータの斜視図である。
【図２】図１のＡ−Ａ線断面図である。
【図３】実施形態１において図１に示す膝サポータを膝関節に装着する途中の状態を示す斜視図である。
【図４】実施形態１において図１に示す膝サポータを膝関節に装着した状態を示す斜視図である。
【図５】実施形態２に係る膝サポータの斜視図である。
【図６】実施形態３に係る膝サポータの正面図である。
【図７】実施形態３の膝サポータを装着する初期段階を模式的に示す側方視図である。
【図８】実施形態３の膝サポータを装着する最終段階を模式的に示す側方視図である。
【発明を実施するための形態】
【００１５】
以下、添付図面を参照して、本発明を実施する形態を詳細に説明する。
【００１６】
（実施形態１）
本実施形態の膝サポータ１は、図１〜４に示すように、足を挿入して膝上に対応する上部から膝下に対応する下部にかけて装着する伸縮性素材でできた筒状部材１１と、筒状部材１１に固定されたドーナツ状の膝当て部材１２と、膝当て部材１２の穴１２ａの直上の筒状部材１１の外周面に一端部が固定された引上げ部材１３と、を備えている。
【００１７】
筒状部材１１は、例えば、伸縮性を有する生地で発泡合成ゴムを挟み込んだ生地、または立体メッシュ生地で作られている。
【００１８】
本実施形態の膝サポータ１では、膝当て部材１２が筒状部材１１の上下方向で中間位置の内側に縫い付けられてある。なお、膝当て部材１２が固定される位置は、筒状部材１１の上下方向で中間位置に限定されるものではない。中間位置から上方或いは下方にずれた位置でもよい。
【００１９】
膝当て部材１２は、外長円形で中心部に貫通穴１２ａが形成されたドーナツ形状をしている。膝当て部材１２は、例えば、弾性を有するシリコン樹脂を厚さ５ｍｍのリング状に成形している。
【００２０】
膝当て部材１２の穴１２ａの直上のＰ点に一端部が固定された引上げ部材１３は、例えば、布製のテープをループ状にしてループ状部１３ａを持つようにしたものである。
【００２１】
引上げ部材１３は、穴１２ａの直上のＰ点に取り付けられているので、後述するように、膝当て部材１２が膝蓋骨を乗り越えやすくなる。
【００２２】
次に、図３、４を参照して膝サポータ１の装着手順を説明する。なお、図３では引上げ部材１３が省略されている。先ず、引上げ部材１３に近い筒状部材１１の端部１１ａが上になるように且つ膝当て部材１２の穴１２ａの貫通方向が前になるようにする。次に、上端部１１ａ或いは引上げ部材１３を指で摘まんで足を挿入して膝サポータ１を上方に引き上げることで、図３に示す状態（膝当て部材１２が膝蓋骨の下に位置する状態）になる。膝当て部材１２が厚みを持つためそれが膝蓋骨を超えるとき抵抗が増すが、さらに引上げ部材１３を上方に引き上げると、その引上げ力は、引上げ部材１３の一端部が固定された膝当て部材１２の穴１２ａの直上をＰ点とすると、膝蓋骨の接線方向の力Ｆ０になる。Ｆ０は垂直方向の力Ｆｖと水平方向の力Ｆｈに分解されるので、垂直方向の力Ｆｖで膝当て部材１２が持ち上げられ、膝蓋骨を超えることができる。その結果、膝蓋骨が膝当て部材１２の穴１２ａに収まり、図４に示す状態になる。
【００２３】
上記のように、本実施形態の膝サポータ１は、膝当て部材１２の穴１２ａの直上Ｐ点に一端部が固定されたループ状部１３ａを持つ引上げ部材１３を備えているので、片方の手の指を挿入して引き上げて装着することができる。膝当て部材１２は厚みがあり、膝蓋骨を乗り越え難いため、伸縮性素材でできた筒状部材１１の上端部１１ａを上方に引張上げても、筒状部材１１が伸びてしまう。しかし、本実施形態の膝サポータ１では、穴１２ａの直上Ｐ点に一端部が固定された引上げ部材１３のループ状部１３ａを手で持ち上げることで容易に乗り越えることができる。
【００２４】
（実施形態２）
本実施形態の膝サポータ１Ａは、図５に示すように、足を挿入して膝上に対応する上部から膝下に対応する下部にかけて装着する伸縮性素材でできた筒状部材１１と、筒状部材１１に固定されたドーナツ状の膝当て部材１２と、筒状部材１１の両端部に形成されたスリット１１ｃ、１１ｄと、を備えている。
【００２５】
本実施形態の膝サポータ１Ａでは、膝当て部材１２の穴１２ａの上方における筒状部材１１の端部１１ａと１１ｂに上下方向のスリット１１ｃ、１１ｄが形成されている。したがって、足の運動が麻痺しており、足関節を底屈（爪先を下方向に下げる動作）ができない人においても、スリット１１ｃから足先を挿入して爪先がスリット１１ｄから飛び出した状態にすることができる。よって、手や足が不自由でも膝サポータ１Ａへの足の挿入と膝サポータ１Ａの引き上げが容易になる。
【００２６】
（実施形態３）
本実施形態の膝サポータ１Ｂは、図６〜８に示すように、実施形態１と２の膝サポータを合体させたものである。すなわち、足を挿入して膝上に対応する上部から膝下に対応する下部にかけて装着する伸縮性素材でできた筒状部材１１と、筒状部材１１に固定されたドーナツ状の膝当て部材１２と、筒状部材１１の膝当て部材１２の穴１２ａの直上Ｐ点に一端部が固定された引上げ部材１３と、上方の端部１１ａ及び下方の端部１１ｂに形成されたスリット１１ｃ、１１ｄを備えている。
【００２７】
スリット１１ｃ、１１ｄは、筒状部材１１の膝当て部材１２の穴１２ａの上方の端部１１ａ及び下方の端部１１ｂから上下方向に膝当て部１２近傍まで延びている。
【００２８】
筒状部材１１の外周には締結帯１４、１５の一端部が固定され、他端部に面ファスナー１４ａ、１５ａを備えている。
【００２９】
締結帯１４、１５は、伸縮性を有する生地（ニット）に樹脂を含浸させたものであり、筒状部材１１を膝蓋骨に装着してから、締結帯１４で膝上を締結し、締結帯１５で膝下を締結することで、膝サポータ１Ｂが適正な位置からずれることが抑制される。
【００３０】
次に、図７、８を参照して膝サポータ１Ｂを麻痺した足に装着する状況を説明する。なお、図７、８では、締結帯１４、１５が省略されている。また、図８では引上げ部材１３が省略されている。
【００３１】
先ず、筒状部材１１の端部１１ａが上になるように且つ膝当て部材１２の穴１２ａの貫通方向が前になるようにする。次に、上端部１１ａを指で摘まんで足を挿入して膝サポータ１Ｂを上方に引き上げる。このとき、足が麻痺して足の爪先が下方に向かない足でも、知恵の輪のように、スリット１１ｃから足先を挿入して爪先がスリット１１ｄから飛び出した状態（図７の状態）にすることができる。次に、筒状部材１１の膝当て部材１２の穴１２ａの直上Ｐ点に一端部が固定された引上げ部材１３（ループ状部１３ａ）を持って上方に引き上げることで図８に示す状態（膝当て部材１２が膝蓋骨の下に位置する状態）になる。膝当て部材１２が厚みを持つためそれが膝蓋骨を超えるとき抵抗が増す。しかし、さらにループ状部１３ａを上方に引き上げると、その引上げ力は、膝蓋骨の接線方向の力Ｆ０になる。Ｆ０は垂直方向の力Ｆｖと水平方向の力Ｆｈに分解されるので、垂直方向の力Ｆｖで膝当て部材１２が持ち上げられ、膝蓋骨を超えることができる。その結果、膝蓋骨が膝当て部材１２の穴１２ａに収まる。
【００３２】
本実施形態の膝サポータ１Ｂにおいて、スリット１１ｃは、筒状部材１１の膝当て部材１２の穴１２ａの上方の端部１１ａから上下方向に膝当て部材１２まで、スリット１１ｄは、筒状部材１１の膝当て部材１２の穴１２ａの下方の端部１１ｂから上下方向に膝当て部材１２まで、延びているので、上記したように、片手片足が不自由で足が麻痺して足の爪先が下方に向かない足でも、装着することができる。
【符号の説明】
【００３３】
１、１Ａ、１Ｂ・・・・・・膝サポータ
１１・・・・・・・・・・筒状部材
１１ａ、１１ｂ・・・・端部
１１ｃ、１１ｄ・・・・スリット
１２・・・・・・・・・・膝当て部材
１２ａ・・・・・・・・穴
１３・・・・・・・・・・引上げ部材
１３ａ・・・・・・・・ループ状部
【要約】
【課題】片手でも装着できる膝サポータを提供すること。
【解決手段】足を挿入して膝上に対応する上部から膝下に対応する下部にかけて装着する伸縮性素材でできた筒状部材１１と、筒状部材１１に固定されたドーナツ状の膝当て部材１２と、筒状部材１１の外周面における膝当て部材１２の穴１２ａの上方に固定された筒状部材１１を引き上げる引上げ部材１３及び／或いは筒状部材１１の両端部１１ａ、１１ｂに形成されたスリット１１ｃ、１１ｄと、を有することを特徴とする。
【選択図】図１【図１】
0005627737.tif 000002
【図２】
0005627737.tif 000003
【図３】
0005627737.tif 000004
【図４】
0005627737.tif 000005
【図５】
0005627737.tif 000006
【図６】
0005627737.tif 000007
【図７】
0005627737.tif 000008
【図８】
0005627737.tif 000009